(57)【要約】  再生可能データの処理装置（１００）である。該装置は、ある順序で再生可能データを受け取るように構成された受け取りユニット（１０３）と、少なくとも部分的にランダムなやり方で受け取った再生可能データの少なくとも１つの特性を変更して、変更された再生可能データを生成するように構成された処理ユニット（１０４）とを有する。前記変更された再生可能データが前記順序で再生されたとき、少なくとも１つの特性の変更が人間の感覚で知覚可能である。
2008527583.tif 000002
【特許請求の範囲】
【請求項１】
再生可能データの処理装置であって、
ある順序で再生可能データを受け取るように構成された受け取りユニットと、
少なくとも部分的にランダムなやり方で受け取った再生可能データの少なくとも１つの特性を変更して、変更された再生可能データを生成するように構成された処理ユニットとを有し、
前記変更された再生可能データが前記順序で再生されたとき、少なくとも１つの特性の変更が人間の感覚で知覚可能である装置。
【請求項２】
前記変更された再生可能データを再生するように構成された再生ユニットをさらに有する、請求項１に記載の装置。
【請求項３】
前記処理ユニットは完全にランダムなやり方で前記再生可能データを処理するように構成された、請求項１に記載の装置。
【請求項４】
前記処理ユニットは疑似ランダムなやり方で前記再生可能データを処理するように構成された、請求項１に記載の装置。
【請求項５】
前記処理ユニットは以下のグループの基準のうち少なくとも１つを考慮しつつ、前記再生可能データを処理するように構成された、請求項４に記載の装置：
ユーザにより決められた処理基準、
以前の処理動作の格納された履歴データに基づく基準、
再生可能データのコンテンツタイプ、及び
再生条件を反映する基準。
【請求項６】
前記処理ユニットは前記再生可能データをフィルタリングすることにより処理するように構成された、請求項１に記載の装置。
【請求項７】
前記処理ユニットは前記再生可能データをイコライズすることにより処理するように構成された、請求項１に記載の装置。
【請求項８】
前記処理ユニットは前記再生可能データに反響を加えることにより処理するように構成された、請求項１に記載の装置。
【請求項９】
前記処理ユニットは、オーディオデータ、画像データ、ビデオデータ、及びコンピュータゲームデータにより構成されたグループのうち少なくとも１つを再生可能データとして処理するように構成された、請求項１に記載の装置。
【請求項１０】
集積回路として実施された、請求項１に記載の装置。
【請求項１１】
オーディオプレーヤ、ビデオプレーヤ、ＣＤプレーヤ、ＤＶＤプレーヤ、ＭＰ３プレーヤ、バーチャライザ、インターネットラジオ装置、及びコンピュータゲーム装置から構成されたグループのうちの１つとして実施された、請求項１に記載の装置。
【請求項１２】
再生可能データの処理方法であって、
ある順序で再生可能データを受け取る段階と、
少なくとも部分的にランダムなやり方で受け取った再生可能データの少なくとも１つの特性を変更して、変更された再生可能データを生成する段階とを有し、
前記変更された再生可能データが前記順序で再生されたとき、少なくとも１つの特性の変更が人間の感覚で知覚可能である方法。
【請求項１３】
プロセッサで実行されたとき、再生可能データの処理方法を実行するように構成されたプログラム要素であって、前記方法は、
ある順序で再生可能データを受け取る段階と、
少なくとも部分的にランダムなやり方で受け取った再生可能データの少なくとも１つの特性を変更して、変更された再生可能データを生成する段階とを有し、
前記変更された再生可能データが前記順序で再生されたとき、少なくとも１つの特性の変更が人間の感覚で知覚可能であるプログラム要素。
【請求項１４】
プロセッサで実行されたとき、再生可能データの処理方法を実行するように構成されたプログラム要素が格納されたコンピュータ読み取り可能媒体であって、前記方法は、
ある順序で再生可能データを受け取る段階と、
少なくとも部分的にランダムなやり方で受け取った再生可能データの少なくとも１つの特性を変更して、変更された再生可能データを生成する段階とを有し、
前記変更された再生可能データが前記順序で再生されたとき、少なくとも１つの特性の変更が人間の感覚で知覚可能であるコンピュータ読み取り可能媒体。
【発明の詳細な説明】
【技術分野】
【０００１】
本発明は再生可能データの処理装置に関する。
【０００２】
本発明は再生可能データの処理方法にも関する。
【０００３】
本発明はさらにプログラム要素とコンピュータ読み取り可能媒体とに関する。
【背景技術】
【０００４】
電子エンターテイメント装置の分野では現在多数の新しいアプリケーションが開発され市場に投入されている。
【０００５】
経験的に分かったことであるが、ユーザは音楽等のオーディオ曲（audio  excerpt）を聞くと、その曲の再生には飽きてしまう。
【０００６】
ユーザに長い間オーディオ曲（audio  excerpts）に関心を持ってもらうため、オーディオプレーヤのトラックリストをランダムに再生し、ユーザに新鮮な印象（surprise）を与えて飽きないようにすることが知られている。この機能はＣＤプレーヤ等の再生装置で利用できルことが多く、「シャッフル」機能と呼ばれている。
【０００７】
米国特許出願公開第２００３／００４６６３８Ａ１号公報には、既記録コンテンツの価値を高める装置であって、コンテンツ中の異なる時点で別のコンテンツセグメントをランダムに選択して、そのコンテンツを再生するときはユーザに異なる経験をさせる装置が開示されている。
【０００８】
米国特許第５，７２８，９６２号公報には、複数のデジタル情報ユニットを自動的に再構成する方法であって、自動的に並べ替え、反復し、その複数のデジタル情報ユニットとは別のシーケンスを生成する方法が開示されている。
【０００９】
換言すると、引用した先行技術は、ＣＤプレーヤの「シャッフル」機能のようにコンテンツのセグメントの順序を１つのトラック内で変更するために、音楽のセグメントをランダムにつなぎ合わせて既存のコンテンツのセグメントを再構成しているだけである。
【発明の開示】
【課題を解決するための手段】
【００１０】
本発明の一目的は、ユーザに再生可能データを提供するにあたり、そのユーザに新鮮な印象を与えて（gets  surprised）飽きさせないようにすることである。
【００１１】
上記の目的を達成するため、独立請求項に記載した再生可能データの処理装置及び方法、プログラム要素、及びコンピュータ読み取り可能媒体を提供する。
【００１２】
再生可能データの処理装置は、ある順序で再生可能データを受け取るように構成された受け取りユニットと、少なくとも部分的にランダムなやり方で受け取った再生可能データの少なくとも１つの特性を変更して、変更された再生可能データを生成するように構成された処理ユニットとを有し、前記変更された再生可能データが再生されたとき、少なくとも１つの特性の変更が人間の感覚で知覚可能である。
【００１３】
さらに、本発明は、再生可能データの処理方法を提供する。該方法は、ある順序で再生可能データを受け取る段階と、少なくとも部分的にランダムなやり方で受け取った再生可能データの少なくとも１つの特性を変更して、変更された再生可能データを生成する段階とを有し、前記変更された再生可能データが再生されたとき、少なくとも１つの特性の変更が人間の感覚で知覚可能である。
【００１４】
さらにまた、プロセッサで実行されたとき、上記段階に従った再生可能データの処理方法を実行するように構成されたプログラム要素を提供する。
【００１５】
プロセッサで実行されたとき、上記段階に従った再生可能データの処理方法を実行するように構成されたコンピュータプログラムが格納されたコンピュータ読み取り可能媒体を提供する。
【００１６】
再生可能データは、コンピュータプログラムすなわちソフトウェアにより処理でき、１つ以上の特別な電子的最適化回路すなわちハードウェアを用いて処理でき、またはハイブリッド形式すなわちソフトウェアコンポーネントとハードウェアコンポーネントにより処理できる。
【００１７】
本発明による特徴的機能は、再生可能データの少なくとも部分的なランダム化処理により、異なった予期しない感覚的経験をもたらし、ユーザ（human  user）は変更された再生可能データを再生してその経験を楽しむことができる。換言すると、本発明による処理方法により、再生可能再生（playback）データを同じやり方で繰り返し再生してユーザが飽きることを防止できる。本発明による装置が再生可能データに何らかのランダム性（random  contribution）を加えることにより、再生可能データが再生されるたびに再生されるデータを変えるからである。これにより、データが再生されるときはいつも、ユーザが知覚する経験が変更される。本発明により、ユーザは改善されたやり方で楽しむことができる。
【００１８】
ユーザ（human  user）の関心度を高いレベルに維持するため、コンテンツを何回か再生しても、再生するたびに、本発明によりデータに何らかのランダム性を加えて新しい変更されたデータを提供することにより、再生されるデータが変更される。換言すると、本発明は、知覚できるコンテンツを再生するときはいつも新しいデータを生成する。その新しいデータは常に元のデータに基づくが、毎回ランダム性（random  contribution）を含めることにより再構成される。そのランダム性は、例えば、あるジャンルの要素（テクノミュージックのハードビート等の典型的要素など）を強調したリミックスである。一方、他のジャンルの要素（クラシック音楽の比較的強い残響などの典型的な要素等）を抑制してもよい。しかし、本発明は、コンテンツのセグメントの順序を変更するだけではなく、新しいコンテンツを生成する。そのコンテンツはそれまでは存在しなかったものである。その結果、ユーザはまだ聞いたことがないバージョンで曲を楽しむことができる。
【００１９】
一実施形態では、本発明により、ユーザは前のランダム設定を見たり（例えばディスプレイで見ることができる）、格納したりすることができ、ユーザがこれらの設定を気に入れば、これらの設定を次のトラックや将来に繰り返したり、友人に送ったりすることができる。
【００２０】
本発明の装置において、受け取りユニットはある順序で再生可能データを受け取り、それと同じ順序で変更された再生可能データを再生する。すなわち、本発明によると、データの順序は維持され、そのデータは並べ替え無しに修正される。
【００２１】
本発明の別の実施形態では、その装置はオーディオプレーヤまたはビデオプレーヤとして実施される。そのプレーヤはトラックを再生するときはいつも、オーディオトラックまたはビデオトラックを自動的にリミックス（remixes）する。リミックス設定はランダム性を有するので、ユーザ（human  user）はデータを再生したときいつも新鮮な印象（gets  surprised）を受ける。このように、本発明の一態様は、オーディオプレーヤまたはビデオプレーヤの自動的リミックスに関するものである。
【００２２】
本発明の教示によれば、再生可能データ自体は同じ順序のままであるが、そのコンテンツを（疑似）ランダム的にフィルタする。ランダム性（random  contribution）により、再生されるデータにユーザが予想できないちょっとした多様性が与えられる。任意的な擬似的な部分は、個人的嗜好、時間、以前の選択履歴、レパートリー（すなわち、ロックミュージックはクラシック音楽よりもより大きくイコライズされてもよい）等により決まってもよい。
【００２３】
本発明の他の態様は、エンターテイメントデータを再生するときの、そのエンターテイメントデータのトラックのわずかな修正に関する。ユーザが再生されたデータを視聴している時、そのユーザは、毎回少し異なる感じ（feeling）を受けるので、新鮮な印象を受け、または飽きない。このように、本発明の重要な特徴は、トラックが再生される時はいつも、信号に処理動作が作用して、トラックが常に異なって聞こえることである。例えば、フルリミックス（full  remix）をかけて、ユーザが同じオーディオまたはビデオデータを毎回非常に異なったやり方で聞こえるようにすることができる。
【００２４】
例えば、オーディオデータの各トラックをイコライズして、「スライダ位置」をランダム的に選択し、ユーザの嗜好、時刻（例えば、夜はより低い周波数、日曜日はよりスムースでリラックスしたオーディオリミックス）、ユーザの年齢（例えば、ユーザがある閾値年齢より上のとき、テクノ性を押さえる）等により任意的にバイアスをかける。イコライザ（ＥＱ）のスライダ位置はランダムな順序で選択してもよい。
【００２５】
本発明はＷｉｎＡｍｐ（商標）モジュールとして実施してもよい。本発明のさらに別の可能なアプリケーションはオーディオ／ビデオのソフトウェアプレーヤまたはハードウェアプレーヤである。後者の場合、オーディオコンテンツだけでなく、ビデオコンテンツも変更（ビデオ再生の色等）できる。他のアプリケーションは写真のスライドショーに関する。そのスライドショーを繰り返す時はいつも、色その他の画像設定を（疑似）ランダムなやり方で調節することができる。
【００２６】
本発明は、トラックをプレーヤ（例えば、オーディオプレーヤ、ビデオプレーヤ、コンピュータゲームプレーヤ、ＣＤプレーヤ、またはＷｉｎＡｍｐ（登録商標）プレーヤ等）で再生するときはいつも、そのトラックを処理して知覚特性を変更する方法を教示する。この処理動作は自動的リミックスであってもよいし、単なるイコライズであってもよい。リミックス／イコライズ設定は毎回ランダムに決定でき、ユーザの嗜好（例えば、ユーザインターフェイスを介したユーザによる事前入力）に関してバイアスをかけることもできる。
【００２７】
オーディオデータの処理を参照して、本発明の装置は、あるタイプのコンテンツ、すなわちオーディオ音楽のジャンルを、例えばオーディオ信号のスペクトル分析に基づいて、自動的に分類するオーディオ分類器を実装してもよい。例えば、かかる分類器に次の２つの分類タイプ例のうちの一方を実装できる。１つは５つの一般的オーディオクラスのセットであり、２つめはポピュラー音楽のジャンルのセットである。一般的なオーディオクラスは、クラシック音楽、ポピュラー音楽（クラシックでないジャンル）、スピーチ（男性と女性、英語、オランダ語、ドイツ語及びフランス語）、大勢の雑音（拍手や歓声）、雑音（交通、換気、レストラン、自然を含むバックグラウンドの雑音）である。ポピュラー音楽クラスは、７つのジャンルの音楽を含む：すなわち、ジャズ、フォーク、エレクトロニカ（electronica）、Ｒ＆Ｂ、ロック、レゲー及びボーカルである。データを分類の結果を考慮して処理し、疑似ランダムな貢献または制約がデータ処理のやり方を制限するようにすることができる。
【００２８】
本発明の他の態様では、システムはユーザの嗜好を学習するように自動適応できる。例えば、許容されるイコライザ設定を学習した嗜好に従って制限する。このように、ランダム性は制限されたランダム性であり、例えば、ランダムなイコライザ設定はユーザの嗜好に合う設定範囲に制限されている。
【００２９】
より一般的に、本発明の装置は疑似ランダム要素を導入することもできる。これらの制限によりランダム性は疑似ランダムとなり、ユーザに関する嗜好を反映するが、再生可能データが実際に再生される環境のフレーム条件にも基づく。例えば、本装置は環境フレーム条件を測定することができる。例えば、ジョギング中に本発明のオーディオプレーヤを使用しているランナーのスピードである。このように、測定されたスピードを考慮して再生可能データの変更に影響を与える。
【００３０】
本発明のシステムにおいて実施できるさらに別の処理方法は、動的範囲制御、音量及びバスブースト（bass  boost）、ステレオ（ベース）拡張（widening）量、サラウンドシステムにおけるフロントチャンネルとバックチャンネル間のバランスである。
【００３１】
従属項を参照して、さらに好ましい本発明の実施形態を以下に説明する。
【００３２】
本発明による再生可能データの処理装置の好ましい実施形態をここで説明する。これらの実施形態は、再生可能データの処理方法、プログラム要素、及びコンピュータ読み取り可能媒体にも適用することもできる。
【００３３】
本装置は、前記変更された再生可能データを再生するように構成された再生ユニットを有することができる。かかる再生ユニットはオーディオプレーヤ、ビデオプレーヤ、変更されたコンピュータゲームを実行するコンピュータ等であってもよい。再生ユニットはハードディスクベースのエンターテイメント装置であってもよい。本発明の装置はパーソナルビデオレコーダ（ＰＶＲ）であってもよい。そのレコーダは、テレビ番組をデジタルフォーマットでハードディスクに記録する電子装置である。本発明の他のアプリケーションは、ＰＣテレビ技術である。その技術により、テレビをパーソナルコンピュータで見ることができる。
【００３４】
前記処理ユニットは完全にランダムなやり方で前記再生可能データを処理するように構成されてもよい。この実施形態では、決定論的制限無しに純粋にランダムなやり方でデータが変更され、そのデータが次に再生されるやり方は完全に予想不能である。これにより、ユーザに新鮮な印象を与える効果（surprising  effect）が最大化される。
【００３５】
あるいは、処理ユニットは擬似的にランダムなやり方で再生可能データを処理するように構成されてもよい。すなわち、操作段階の結果として、幾分かのランダム性が再生可能データに含まれる。しかし、いくつかの決定論的または事前選択されたフレーム条件が含まれ、付加されるランダム性を制御する。換言すると、疑似ランダム的な決定により、予め決められた制限内でのランダム性が許容される。
【００３６】
後者の実施形態を参照して、処理ユニットは、ユーザ決定処理基準、以前の処理動作の格納された履歴データに基づく基準、再生可能データのコンテンツタイプ、及び再生条件を反映した基準から構成されたグループの基準の少なくとも１つを考慮しつつ、再生可能データを処理するように構成することができる。
【００３７】
例えば、ユーザが処理基準を入力してもよく、その処理基準は再生可能データを操作して変更された再生可能データを形成するときに考慮される。この目的のため、ユーザはイコライズパラメータを所与の値を上回らない、または下回らない範囲に制限してもよい。
【００３８】
ランダム性の程度は、以前の処理動作の格納された履歴データに応じた基準により、影響を受けてもよい。例えば、システムは自動適応したやり方で、前のユーザ嗜好から学習してもよい。ユーザが過去に知覚可能パラメータの範囲を何度か制限しているとき、本発明のシステムは、装置の使用履歴からかかるユーザ嗜好を認識して、将来のかかるパラメータの疑似ランダム的推定値を過去のユーザが好んだ値に制限してもよい。
【００３９】
再生可能データのコンテンツタイプをフレーム条件として使用して、データの操作を制御することもできる。例えば、オーディオ分類器がオーディオデータを分類して、オーディオコンテンツの推定されたクラスのために不適当な操作を回避する。例えば、クラシック音楽をテクノミュージックのようなサウンドとリミックスすることを回避する。
【００４０】
さらにまた、基準は再生条件を反映することもできる。オーディオデータが現在再生されている環境がオーディオデータの操作を必要とすると推定されたとき、データの疑似ランダム的変更を適宜することができる。例えば、オーディオデータをイコライズするための好ましいパラメータの範囲は、ヘッドホンを介してそのオーディオデータを再生する時、ラウドスピーカを介して再生する場合と比較して異なるであろう。
【００４１】
処理ユニットは再生可能データをフィルタすることにより処理するように構成されてもよい。
【００４２】
特に、処理ユニットは再生可能データをイコライズすることにより処理するように構成されてもよい。イコライズとは、具体的にはいくつかのフィルタを用いてオーディオ信号の個々の周波数をカット及びブーストすることを意味する。この手段をとることにより、オーディオ信号を補正して音声品質を向上し、またはその音声を音源に近いものにする。
【００４３】
処理ユニットは再生可能データにその反響を加えることにより処理するように構成されてもよい。反響はＤＳＰ（Digital  Signal  Processing）反響器により人工的に作ることができる。その反響器を本発明の装置において実施して、電子回路（electronics）と信号処理アルゴリズムを使用して、長さが疑似ランダムで長い多数の遅延に任意的にイコライズその他の処理を組み合わせたものを使用して、反響効果を作ることができる。反響を加えることにより、オーディオの知覚を大幅に修正することができる。
【００４４】
処理ユニットは、オーディオデータ、画像データ、ビデオデータ、及びコンピュータゲームデータにより構成されたグループのうち少なくとも１つを再生可能データとして処理するように構成されてもよい。このように、本発明は、限定はされないが、ユーザが関心を持つやり方であらゆる種類のオーディオビジュアルコンテンツを再生することを含む。例えば、（主に音楽のコンサートに関する）ＤＶＤ等の製品が入手でき、それには別のカメラビュー（camera  viewings）も記録されており、従来の方法でユーザが選択できる。かかるＤＶＤを本発明のシステムで再生する時、カメラビューを（真または擬似的に）ランダムに自動選択できる。すなわち、「メイン」ビューを別のビューで置き換えて、ＤＶＤを見る際に、ユーザがかかるＤＶＤを再生する時はいつもコンテンツが異なって見えるようにすることができる。
【００４５】
本発明の装置は、集積回路、特に半導体集積回路として実現できる。特に、本システムは、シリコンテクノロジーで製造され得るモノリシックＩＣとして実現できる。
【００４６】
本発明による装置は、オーディオプレーヤ、ビデオプレーヤ、ＣＤプレーヤ、ＤＶＤプレーヤ、バーチャライザ、ＭＰ３プレーヤ、インターネットラジオ装置、及びコンピュータゲーム装置から構成されたグループのうちの１つとして実施され得る。
【００４７】
本発明によると、本システムは歌が繰り返し演奏されていることを認識することができる。歌（同じものでも異なるものでも）が毎回新しいランダムな設定をされると、システムはその歌が以前（例えば今日または昨日）に演奏されたかどうか知る必要は必ずしも無い。本発明の他の実施形態では、システムは再生されたレコードのトラック記録（すなわち履歴データ）を保持し、どのトラックが再生されたかを知っている。
【００４８】
システムがあるオーディオアイテムが何回再生されたか知っている場合、所定のバリエーションのセットをシステムに設けて（例えば、１０通りの異なる可能なバリエーション）、オーディオ曲をその所定のバリエーションのセットに従ってのみ変更することもできる。この実施形態では、ランダム性（random  aspect）はその所定のバリエーションのセットの１つのランダムな選択に関係し、ランダムな選択をこの所定のバリエーションのセットに限定することには疑似ランダム性（pseudo-random  character）が含まれる。例えば、（歌等の）オーディオアイテムを５回目に再生されると、同一の５番目のバリエーションとなる。
【００４９】
本発明のこれらの態様等は、以下に説明する実施形態から明らかであり、これらの実施形態を参照して説明する。
【００５０】
以下、非限定的な実施形態の実施例を参照して本発明を詳細に説明する。
【発明を実施するための最良の形態】
【００５１】
図面は概略図である。別の図面においても、同様または同一の要素には同じ参照数字を付した。
【００５２】
ここで、本発明の好ましい実施形態によるオーディオプレーヤ１００を、図１を参照して詳細に説明する。
【００５３】
オーディオプレーヤ１００は、ハードディスク１０１を有し、これはＲＡＭメモリやフラッシュメモリであってもよい。オーディオプレーヤ１００が再生するオーディオデータはそのハードディスク１０１に格納される。
【００５４】
ユーザはユーザインターフェイス１０２を介してオーディオプレーヤ１００の機能を制御できる。そのユーザインターフェイス１０２は、オーディオプレーヤ１００の所望の動作モードを選択し、オーディオ曲を格納、管理、再生するためのいろいろなパラメータを調節する複数の選択ボタンを有する。ハードディスク１０１に格納されオーディオプレーヤ１００により再生されるオーディオ曲は、ユーザによる対応した選択により選択される。この選択は、選択ユーザインターフェイス１０２を介して行われ、１つ以上の第１の選択パラメータＳＰ１が供給される（resulting）。
【００５５】
かかるオーディオ曲（audio  excerpt）またはそのシーケンスがユーザインターフェイス１０２を介してユーザにより選択されると、受け取りユニット１０３がハードディスク１０１から、再生するオーディオ曲に応じた再生可能データＲＤを受け取る。受け取りユニット１０３はその再生可能データＲＤを処理ユニット１０４に供給する。
【００５６】
処理ユニット１０４はマイクロプロセッサ（ＣＰＵ）であり、受け取った再生可能データＲＤの少なくとも１つの特性を疑似ランダム的に変更することにより、変更オーディオデータＡＡＤ（すなわち、修正された再生可能データ）を生成するように構成されている。少なくとも１つの特性の変更は、その疑似ランダム的に修正された再生可能データＡＡＤを再生した時、人間が知覚できるものである。
【００５７】
図１に示したように、再生可能データＲＤ（ＭＰ３オーディオファイル等）は、ハードディスク１０１に格納されているが、オーディオ分類器１０９にも供給される。そのオーディオ分類器１０９はオーディオを分類する、すなわちオーディオデータ（audio  data  excerpt）が関係しているジャンルを決定する。かかるジャンルは、例えば、クラシック音楽、ポップミュージック、ジャズ、フォーク等である。対応する分類パラメータＣＰが処理ユニット１０４に供給される。
【００５８】
ユーザは、ユーザインターフェイス１０２を介してそれぞれのユーザ制御コマンドを入力して１つ以上の第２の選択パラメータＳＰ２を供給することにより、マイクロプロセッサ１０４により実行される処理動作に影響を与えることができる。
【００５９】
センサユニット１０７が備えられる。そのセンサユニット１０７は、例えば、ジョギング中にオーディオプレーヤ１００を使用しているユーザのスピード、環境温度、または環境の反響特性（例えば教会の反響特性は屋外とは異なる）などのオーディオプレーヤ１００の環境パラメータを検出することができる。センサユニット１０７はマイクロプロセッサ１０４に接続され、マイクロプロセッサ１０４にこれらのデータまたはパラメータを送信データＳＤとして供給する。
【００６０】
さらにまた、処理されるオーディオデータにランダム的な特徴（randomizing  character）を加えるランダム化ユニット１０６がマイクロプロセッサ１０４に接続されており、そのマイクロプロセッサ１０４に１つ以上のランダム化パラメータＲＰを供給する。マイクロプロセッサ１０４は、再生ユニット１０５に結合された出力に変更オーディオデータＡＡＤ（すなわち、処理された再生可能データ）を発生する。その再生ユニット１０５はこの場合処理されたオーディオデータＡＡＤを再生するラウドスピーカである（あるいは、ヘッドホンも使用できる）。
【００６１】
さらに、処理されたオーディオデータは、学習ユニット１０８にも供給される。その学習ユニット１０８は、マイクロプロセッサ１０４に制御信号（すなわち学習信号ＬＳ）を送りオーディオデータを処理する方法に影響を与える自己適応ユニットである。学習ユニット１０８は処理されたデータから、どの種類の処理がユーザの嗜好に適合するか学習し、真陸路プロセッサ１０４によるデータの処理に影響を与える。よって、ラウドスピーカ１０５が変更されたオーディオデータＡＡＤを再生できる。
【００６２】
マイクロプロセッサ１０４は、疑似ランダム的に再生可能オーディオデータを処理する。決定論的フレーム条件、すなわちユーザが決めた処理基準（ユーザインターフェイス１０２を介した入力）を考慮しつつ入来オーディオデータのランダム化処理を実行するからである。ユーザが決めた処理基準は、例えば、（学習ユニット１０８を介して得られた）以前の処理動作が格納された履歴データに応じた基準、再生可能オーディオデータのコンテンツタイプ、すなわち（オーディオ分類器１０９により得られた）ジャンル、及び再生のモードまたはフレーム条件を反映する基準、すなわち（センサユニット１０７により検出された）ジョギングスピード等である。
【００６３】
マイクロプロセッサ１０４はオーディオデータをフィルタし、疑似ランダム的に再生可能データのイコライズ特性を調整する。これは、マイクロプロセッサ１０４がイコライザ（equalizer）パラメータのランダムな選択の結果によりイコライザ動作モードを調節するが、ユーザが決めた許容できるイコライザパラメータの範囲を考慮することを意味する。換言すると、ランダムに得られる動作モードの範囲はユーザの決定により制限されている。さらに、マイクロプロセッサ１０４はオーディオデータへの反響音をランダム加える。
【００６４】
受け取りユニット１０３は、フレームまたはブロックのシーケンスとして、ある順序で再生可能オーディオデータを受け取る。マイクロプロセッサ１０４は、そのデータを並べ替えることなく、同じ順序で変更された再生可能オーディオデータを生成する。
【００６５】
疑似ランダム的な処理動作の結果として、出力されるオーディオデータは再生されるたびに少し異なって聞こえる。それでもなお、再生されるオーディオデータはあるフレーム条件を満たしている。
【００６６】
図２は、本発明の一実施形態による再生可能データ処理装置のユーザインターフェイス２００を示す。
【００６７】
ユーザインターフェイス２００は、マイクロソフト（商標）のウィンドウズ（登録商標）ソフトウェアを用いてモニターに表示されるウィンドウとして実施されてもよい。特に、ユーザインターフェイス２００は、修正されたＷｉｎＡｍｐ（商標）アプリケーションとして実施することもできる。
【００６８】
ユーザは、選択ボタンの１つにマウスカーソル２０１を動かすコンピュータマウス（図示せず）によりユーザインターフェイス２００を制御することができる。ユーザは、例えば、トラック選択ボタン２０２を操作してオーディオアイテム（例えば、歌手クリスティーナ・アギレラの「ハロー」）を選択でき、音量調節ボタン２０３を操作して再生音量を調節でき、バランス調整ボタン２０４を操作して再生バランスを調節でき、巻き戻しボタン２０５を操作してオーディオ曲（audio  piece）を巻き戻しでき、早送りボタン２０６を操作してオーディオ曲を早送りでき、再生ボタン２０７を操作してオーディオ曲を再生でき、ポーズボタン２０８を操作してオーディオ曲を一時停止でき、ストップボタン２０９を操作してオーディオ曲の再生を停止できる。情報フィールド２１２はオーディオ曲の再生状態に関する情報を示す。
【００６９】
シャッフルボタン２１０を操作してシャッフル機能のスイッチをオン・オフできる。かかるシャッフル機能のスイッチがオンの場合、オーディオアイテムのトラックリストはランダムな順序で再生される。かかるシャッフル機能のスイッチがオフの場合、オーディオアイテムのトラックリストは一定の順序で再生される。
【００７０】
ランダムボタン２１１を操作してランダム機能のスイッチをオン・オフできる。かかるランダム機能のスイッチがオンのとき、オーディオアイテムが再び再生されるときはいつも、ランダム的に新しく推定されたランダムなイコライザパラメータによりオーディオアイテムが再生される。かかるランダム機能のスイッチがオフのとき、オーディオアイテムが再び再生されるときはいつも、一定のイコライザパラメータでオーディオアイテムが再生される。
【００７１】
図３は、オーディオ曲が最初に再生される時にランダム的に生成された、ユーザインターフェイス２００に係る装置のイコライザ設定を示す。複数の周波数の各々に対してランダム的にイコライザ設定が推定され、イコライザ機能が周波数イコライザバー３００により調節される。しかし、マウスカーソル２０１はコンピュータマウス（図示せず）により制御可能であるが、ユーザはこれを用いて任意的に、ランダム的に推定された設定パラメータをいずれかを変更したいとき、各周波数イコライザバー３００を調整することができる。
【００７２】
図４は、オーディオ曲が２回目に再生される時にランダム的に生成された、ユーザインターフェイス２００に係る装置のイコライザ設定を示す。図３と図４に示したように、イコライザ設定が推定されるランダム的な特徴により、周波数イコライザバー３００は、歌が再生されるときはいつも異なった調整がされるので、リスナーは同一のオーディオ曲であっても再生するときはいつも違ったやり方で楽しむことができる。
【００７３】
「有する」という動詞及びその変化形を用いたが、請求項に記載された以外の要素または段階の存在を排除するものではない。
【００７４】
要素または段階に付された「１つの」、「一」という不定冠詞を使用したが、かかる要素または段階が複数あることを排除するものではない。また、異なる実施形態に関して説明した要素を組み合わせることもできる。
【００７５】
請求項中の参照符号は、その請求項の範囲を限定するものと解釈してはならないことにも留意すべきである。
【図面の簡単な説明】
【００７６】
【図１】本発明の好ましい実施形態による再生可能データ処理装置を示す。
【図２】本発明の一実施形態による再生可能データ処理装置のユーザインターフェイスを示す。
【図３】オーディオ曲を初めて再生する時にランダム生成された、図２の装置のイコライザ設定を示す。
【図４】オーディオ曲を２回目に再生する時にランダム生成された、図２の装置のイコライザ設定を示す。
【図１】
2008527583.tif 000003
【図２】
2008527583.tif 000004
【図３】
2008527583.tif 000005
【図４】
2008527583.tif 000006
【国際調査報告】
2008527583.tif 000007
2008527583.tif 000008
2008527583.tif 000009